(57)【要約】【課題】  極めて簡単な構成でありながら、洗濯物の重量に耐えることが可能な室内物干しを提供する。【解決手段】  取付部材１０を、板材を屈曲させて形成した取付ベース１１と、取付ベース１１に取り付けられて竿受け部材が係脱される少なくとも２つのダボピン（係合部材）１８とで構成する。さらに、取付ベース１１に、一方の縦枠の対向面に取り付けられるベース部１２と、ベース部１２の室内側端部から室内面に沿って屈曲された第１屈曲部１３と、ベース部１２の外部側端部から他方の縦枠に向かって屈曲された第２屈曲部１４と、第２屈曲部１４の先端部から室内側に向けて屈曲された第３屈曲部１５と、第３屈曲部１５の室内側端部からベース部１２に向かって屈曲された第４屈曲部１６とを設け、ダボピン１８を、ベース部１２と第３屈曲部１５との間に掛け渡す。【選択図】  図７
2011004981.tif 000002
【特許請求の範囲】
【請求項１】
窓枠のうちの、外部に向かって左側及び右側に縦向きに配設された縦枠に取り付けられる取付部材と、
前記取付部材に装着されて室内側に延びる着脱自在な竿受け部材と、を備え、
前記縦枠のうちの相互に対向する面を対向面、室内側を向いた面を室内面としたときに、
前記取付部材は、板材を屈曲させて形成された取付ベースと、前記取付ベースに取り付けられて前記竿受け部材が係脱される少なくとも２つの係合部材と、を有し、
前記取付ベースは、一方の前記縦枠の前記対向面に取り付けられるベース部と、前記ベース部の室内側端部から前記室内面に沿って屈曲された第１屈曲部と、前記ベース部の外部側端部から他方の前記縦枠に向かって屈曲された第２屈曲部と、前記第２屈曲部の先端部から前記室内側に向けて屈曲された第３屈曲部とが設けられ、
前記係合部材は、前記ベース部と前記第３屈曲部との間に掛け渡される、
ことを特徴とする室内物干し。
【請求項２】
前記竿受け部材は、前記係合部材に係脱可能なフック部を有する、
ことを特徴とする請求項１に記載の室内物干し。
【請求項３】
前記第３屈曲部の室内側端部から前記ベース部に向かって屈曲された第４屈曲部を有する、
ことを特徴とする請求項１又は２に記載の室内物干し。
【請求項４】
前記竿受け部材は、板状に形成され、
前記第４屈曲部は、その先端と前記ベース部との間に、前記竿受け部材の板厚と略同じ幅の間隙が形成される、
ことを特徴とする請求項３に記載の室内物干し。
【請求項５】
前記取付部材は、その上下方向の中心を通る水平面に対して上下が対称に形成されている、
ことを特徴とする請求項１ないし４のいずれか１項に記載の室内物干し。
【発明の詳細な説明】
【技術分野】
【０００１】
本発明は、洗濯物を室内に干すための竿を支持する室内物干しに関する。
【背景技術】
【０００２】
雨の日や雨が予想される外出時等には、室内に洗濯物を干せると便宜であり、種々のものが室内物干しとして提案されている。このうち、例えば、特許文献１には、カーテンレールを利用した室内物干しが提案されている。このものは、カーテンレールに対して着脱可能に装着することができるアーム状の物干し具を室内側に向けて取り付け、この物干し具によって物干し竿を支持し、この物干し竿に洗濯物を直接、あるいはハンガー等を介して干すようにしている。
【先行技術文献】
【特許文献】
【０００３】
【特許文献１】特開２００６−２２３６９８号公報
【発明の概要】
【発明が解決しようとする課題】
【０００４】
しかしながら、特許文献１の物干し具は、カーテンレールに取り付けるものであり、カーテンレールは、その設計上、カーテンを吊るすのが前提であり、洗濯物のように、水分を含んで重たくなったものを支持するような強固な構造にはなっていない。
このため、干すことが可能な洗濯物の量が制限されたり、また、極端な場合には、洗濯物の重量に耐えかねたカーテンレールが脱落したりするおそれがある。
【０００５】
そこで、本発明は、極めて簡単な構成でありながら、洗濯物の重量に耐えることが可能な室内物干しを提供することを目的とするものである。
【課題を解決するための手段】
【０００６】
請求項１に係る発明は、室内物干しに関する。この発明に係る室内物干しは、窓枠のうちの、外部に向かって左側及び右側に縦向きに配設された縦枠に取り付けられる取付部材と、前記取付部材に装着されて室内側に延びる着脱自在な竿受け部材と、を備え、前記縦枠のうちの相互に対向する面を対向面、室内側を向いた面を室内面としたときに、前記取付部材は、板材を屈曲させて形成された取付ベースと、前記取付ベースに取り付けられて前記竿受け部材が係脱される少なくとも２つの係合部材と、を有し、前記取付ベースは、一方の前記縦枠の前記対向面に取り付けられるベース部と、前記ベース部の室内側端部から前記室内面に沿って屈曲された第１屈曲部と、前記ベース部の外部側端部から他方の前記縦枠に向かって屈曲された第２屈曲部と、前記第２屈曲部の先端部から前記室内側に向けて屈曲された第３屈曲部とが設けられ、前記係合部材は、前記ベース部と前記第３屈曲部との間に掛け渡される、ことを特徴とする。
【０００７】
請求項２に係る発明は、請求項１に係る室内物干しにおいて、前記竿受け部材は、前記係合部材に係脱可能なフック部を有する、ことを特徴とする。
【０００８】
請求項３に係る発明は、請求項１又は２に係る室内物干しにおいて、前記第３屈曲部の室内側端部から前記ベース部に向かって屈曲された第４屈曲部を有する、ことを特徴とする。
【０００９】
請求項４に係る発明は、請求項３に係る室内物干しにおいて、前記竿受け部材は、板状に形成され、前記第４屈曲部は、その先端と前記ベース部との間に、前記竿受け部材の板厚と略同じ幅の間隙が形成される、ことを特徴とする。
【００１０】
請求項５に係る発明は、請求項１ないし４のいずれか１項に係る室内物干しにおいて、前記取付部材は、その上下方向の中心を通る水平面に対して上下が対称に形成されている、ことを特徴とする。
【発明の効果】
【００１１】
本発明によれば、竿受け部材は、加重が作用する方向と平行のベース部が縦枠の対向面に取り付けられ、また、第１屈曲部が縦枠の室内面に当接されるので、竿受け部材に大きな加重が作用した場合であっても、その加重を支えることができる。さらに、竿受け部材が係脱される係合部材が、ベース部と第３屈曲部との間に掛け渡すように設けてあるので、この係合部材は、大きな加重を支えることができる。
【発明を実施するための最良の形態】
【００１２】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１３】
図１〜図７を参照して、本発明の実施形態１に係る室内物干し１について説明する。ここで、図１は、室内物干し１を左の縦枠３４に取り付けた状態を示す斜視図で有る。また、図２は、取付部材１０に竿受け部材２０を取り付ける途中の状態を外部に向いた状態での右方向から見た図である。また、図３は、取付部材１０に竿受け部材２０を取り付ける途中の状態を右方向から見た図である。また、図４は、取付部材１０に竿受け部材の取付が完了した状態を右方向から見た図である。また、図５は、竿受け部材２０に物干し竿４１やハンガー４２を介して洗濯物４３を干した状態を右方向から見た図である。また、図６は、図４におけるＡ−Ａ線矢視図である。図７は、取付部材１０を説明する拡大斜視図である。
【００１４】
図１に示すように、外壁３１の内側には内壁３２が設けてあり、これら外壁３１及び内壁３２は、窓に対応する部分がくりぬかれている。窓には、内側に例えば、木製の窓枠３３が設けられ、この窓枠３３の外側には、窓ガラスを支持するアルミサッシ３５が配設されている。窓枠３３は、外側に向かって左側及び右側に縦向きに配設された縦枠３４，３４を有している。なお、図１では左側の縦枠３４のみを図示している。左右２つの縦枠３４，３４は、それぞれ相互に対向する面に対向面３４ａを有しており、また、この対向面３４ａに直交する室内面３４ｂを有している。ここで、窓枠３４には、一般的な窓枠の他、窓ガラスが床面まで延びるいわゆる掃き出し窓の窓枠や、出入りするための開閉扉が取り付けられる扉枠も含むものとする。
【００１５】
なお、室内物干し１は、実際には、１対のものがそれぞれ左の縦枠３４と右の縦枠３４（不図示）とに取り付けられて使用されるが、以下の説明では、このうち、左の縦枠３４に取り付けられる室内物干し１を例に説明する。
【００１６】
室内物干し１は、縦枠３４の上部に取り付ける取付部材１０と、この取付部材１０に装着される着脱自在な竿受け部材２０とを備えている。
【００１７】
図７に示すように、取付部材１０は、板金を屈曲させて形成された上下方向に長い取付ベース１１と、この取付ベース１１に取り付けられた複数（図示例では２本）のダボピン（係合部材）１８を有している。
【００１８】
取付ベース１１は、図１に示す縦枠３４の対向面３４ａに密着された状態で、後述の固定ビスＢによって固定されるベース部１２と、このベース部１２の室内側端部から室内面３４ｂに沿って（左に）屈曲された第１屈曲部１３と、ベース部１２の外部側端部から他方の縦枠に向かって（右に）屈曲された第２屈曲部１４と、この第２屈曲部１４の先端から室内側（手前側）に屈曲された第３屈曲部と、この第３屈曲部１５の室内側端部からベース部１２に向かって（左に）屈曲された第４屈曲部１６とを有している。この第４屈曲部１６の先端１６ａとベース部１２との間隙Ｇは、後述する竿受け部材２０の厚さと同じか、これよりもわずかに広く設定されている。また、第３屈曲部１５における上下方向の中心の上側及び下側には、前後方向の中心に、それぞれ透孔１７，１７が穿設されている。なお、図７中では、取付部材１０を上下に２等分する水平面Ｈを二点鎖線で図示している。また、ベース部１２における、第３屈曲部１５の透孔１７，１７に対応する位置にも、これら透孔１７，１７よりも直径が少し小さい透孔（不図示）がそれぞれ穿設されている。取付部材１０は、この透孔を貫通する固定ビスＢ，Ｂを縦枠３４の対向面３４ａにねじ込むことで、ベース部１２を、対向面３４ａに密着させるようにして固定されている。さらに、このとき、第１屈曲面１３が縦枠３４の室内面３４ｂに当接される。
【００１９】
上側の透孔１７の上方、及び下側の透孔１７の下方には、それぞれダボピン１８が設けてある。これらダボピン１８，１８は、第３屈曲部１５及びベース部１２を左右方向に貫通するように設けてある。つまり、これらダボピン１８は、ベース部１２と第３屈曲部１５と間に掛け渡されていて、これらによって支持されている。
【００２０】
透孔１７，１７やダボピン１８，１８も含め、取付部材１０全体は、上下方向の中心を通る水平面Ｈに対して、上下が対称に形成されている。これにより、取付部材１０は、同一のものを、左の縦枠３４と右の縦枠３４とに取り付けることができる。つまり、左右の別なく、同じものを使用することが可能である。
【００２１】
図２に示すように、竿受け部材２０は、例えば、略三角形の板金によって形成されている。竿受け部材２０は、基端側（外部側）の上部と下部とに切欠２１，２１及びフック２２，２２を有している。切欠２１は、取付部材１０に対して、竿受け部材２０を室内側から外部に向けて、装着する際に、固定ビスＢ，Ｂを避けるためのものである。また、フック２２，２２は、下向きに形成されていて、取付部材１０のダボピン１８，１８の係合させるためのものである。竿受け部材２０は、室内側に延びるように形成されていて、先端側（室内側）における上部には、物干し竿４１（図５参照）を保持するための略半円形の切欠２３が形成されている。また、中間部及び基端側には、物干し竿４１等を挿入可能な円形の透孔２４，２５が穿設されている。さらに、竿受け部材２０には、円弧状の下端縁に沿って多数の透孔２６が穿設されている。これら透孔は、例えば、ハンガー４２（図５参照）を引っ掛けることができる。竿受け部材２０の板厚は、図７に示す間隙Ｇと同じか、これよりもわずかに小さく設定されている。
【００２２】
取付部材１０に対する竿受け部材２０の装着は、基端側のフック２２，２２を間隙Ｇに対して室内側から外部側に向けて押し込んで、図３に示すように、それぞれのフック２２を、取付部材１０側の２本のダボピン１８，１８の上方を通過させ、その後、竿受け部材２０全体を下方に下ろすことによって、ダボピン１８，１８にフック２２，２２を係合させることによって簡単に行うことができる。なお、取付部材１０からの竿受け部材２０の取り外しは、上述の装着時の動作を逆に辿ることにより簡単に行うことができる。
【００２３】
本実施形態によると、窓枠３３の左の縦枠３４と右の縦枠３４とのそれぞれに室内物干し１，１を取り付けて、それぞれの竿受け部材２０の先端の切欠２３に物干し竿４１を掛け渡し、この物干し竿４１に直接、あるいはハンガー４２を介して洗濯物４３を干すことができる。この際、水分を含んだ洗濯物等によって、竿受け部材２０の先端を下方に向けて比較的大きな荷重が作用する。これに対して本実施形態では、荷重の方向に対して略同一平面内でかつ平行な縦枠３４の対向面３４ａに取付部材１０のベース部１２を固定ビスＢによって固定しているので、例えば、取付部材１０を室内面３４ｂに固定する場合と比較して、大きな荷重に耐えることができる。すなわち、荷重は、固定ビスＢを引き抜く方向ではなく、固定ビスＢの剪断（せん断）方向に作用するので、固定ビスＢは大きな荷重を支えることができる。
【００２４】
しかも、第１屈曲部１３が室内面３４ｂに当接するので、この当接によっても荷重を受け止めることが可能となり、その分、大きな荷重に耐え得る。また、ダボピン１８は、相互に対向するベース部１２と第３屈曲部１５との間に掛け渡すように配置されているので、十分な強度を確保することができる。
【００２５】
また、第４屈曲部１６の先端１６ａとベース部１２との間隙Ｇが、竿受け部材２０の板厚と略同じかこれよりもわずかに大きく設定されているので、この間隙Ｇによって、竿受け部材２０の左右方向の不要な動き、ガタツキ等を防止して、取付部材１０により竿受け部材２０を堅固に保持することができる。
【００２６】
また、例えば、取付部材１０の２つのダボピン１８に、竿受け部材２０の基端部の２箇所のフック２２を係合させた際に、下のフック２２の後端縁が第２屈曲部１４の内面１４ａに当接するようにしておけば、この第２屈曲部１４によって荷重の一部を受け止めることが可能となる。
【００２７】
また、上述のように、取付部材１０の取付ベース１１は、板金を屈曲させて簡単に形成することができ、さらに、竿受け部材２０も板金によって簡単に形成することができる。このように本実施形態では、簡単な構成でありながら、カーテンレール等を利用する場合と比較して、大きな荷重に耐えることができる。さらに、取付部材１０に対して竿受け部材２０を略ワンタッチで着脱することができるので、不要の際には、竿受け部材２０を取り外しておけば、室内の美観を大きく損ねるようなことはない。
【００２８】
以上説明した構成において、第４屈曲部１６を省略することも可能である。この場合には、ベース部１２と第３屈曲部１５とを近接させて、両者間の距離を狭く設定することにより、装着後の竿受け部材２０の基端側の不要な動きを規制することができる。例えば、両者間の距離は、竿受け部材２０の板厚よりの少し大きく設定するのが好適である。
【図面の簡単な説明】
【００２９】
【図１】室内物干し１を左の縦枠３４に取り付けた状態を示す斜視図で有る。
【図２】取付部材１０に竿受け部材２０を取り付ける途中の状態を外部に向いた状態での右方向から見た図である。
【図３】取付部材１０に竿受け部材２０を取り付ける途中の状態を右方向から見た図である。
【図４】取付部材１０に竿受け部材の取付が完了した状態を右方向から見た図である。
【図５】竿受け部材２０に物干し竿４１やハンガー４２を介して洗濯物４３を干した状態を右方向から見た図である。
【図６】図４におけるＡ−Ａ線矢視図である。
【図７】取付部材１０を説明する拡大斜視図である。
【符号の説明】
【００３０】
１          室内物干し
１０        取付部材
１１        取付ベース
１２        ベース部
１３        第１屈曲部
１４        第２屈曲部
１５        第３屈曲部
１６        第４屈曲部
１７        取付孔
１８        ダボピン（係合部材）
２０        竿受け部材
３３        窓枠
３４        縦枠
３４ａ      対向面
３４ｂ      室内面
Ｂ          固定ビス
【図１】
2011004981.tif 000003
【図２】
2011004981.tif 000004
【図３】
2011004981.tif 000005
【図４】
2011004981.tif 000006
【図５】
2011004981.tif 000007
【図６】
2011004981.tif 000008
【図７】
2011004981.tif 000009